(57)【要約】【課題】遊技中に開放される場合であってもアウト球の散乱の防止を図ることができる遊技機を提供することを目的とする。【解決手段】本発明の一態様に係る遊技機は、本体枠と、前記本体枠の正面側に配設され、前記本体枠の側辺において回動可能に軸支される中枠と、前記中枠の背面側に設けられ、背面側へアウト球を排出可能なアウト球排出口と、前記中枠が前記本体枠に対して開放状態である場合に、前記アウト球排出口から排出される前記アウト球をこぼれないように保持可能なアウト球受け部とを備える。前記アウト球受け部が、前記アウト球を受け入れ可能な収容構造を有するとよい。【選択図】図４
2020000367.tif 000002
【特許請求の範囲】
【請求項１】
本体枠と、
前記本体枠の正面側に配設され、前記本体枠の側辺において回動可能に軸支される中枠と、
前記中枠の背面側に設けられ、背面側へアウト球を排出可能なアウト球排出口と、
前記中枠が前記本体枠に対して開放状態である場合に、前記アウト球排出口から排出される前記アウト球をこぼれないように保持可能なアウト球受け部と
を備える遊技機。
【請求項２】
前記アウト球受け部が、前記アウト球を受け入れ可能な収容構造を有する請求項１に記載の遊技機。
【請求項３】
前記アウト球受け部を退避位置及び受入位置間で移動させる移動機構
を更に備え、
前記アウト球受け部が前記退避位置にある場合に、前記アウト球排出口から背面側へ向けて前記アウト球を排出し、
前記アウト球受け部が前記受入位置にある場合に、前記アウト球排出口から前記アウト球受け部へ向けて前記アウト球を排出する請求項１又は請求項２に記載の遊技機。
【請求項４】
前記中枠が前記本体枠に対して閉鎖状態である場合に、前記アウト球受け部が前記退避位置に位置し、
前記中枠が前記本体枠に対して開放状態である場合に、前記アウト球受け部が前記受入位置に位置する請求項１、請求項２又は請求項３に記載の遊技機。
【請求項５】
前記移動機構が、前記アウト球排出口の下方において前記アウト球受け部を前記受入位置又は前記退避位置へ移動させる請求項１から請求項４のいずれか１項に記載の遊技機。
【請求項６】
前記移動機構が、前記本体枠に対する前記中枠の開放動作に連動して前記アウト球受け部を前記受入位置へ移動させる請求項１から請求項５のいずれか１項に記載の遊技機。
【請求項７】
前記移動機構が、前記本体枠に対する前記中枠の閉鎖動作に連動して前記アウト球受け部を前記退避位置へ移動させる請求項１から請求項６のいずれか１項に記載の遊技機。
【発明の詳細な説明】
【技術分野】
【０００１】
本発明は、遊技機に関する。
【背景技術】
【０００２】
遊技島へアウト球を排出する遊技機がある。例えば、遊技機の背面にあるメイン制御基板ＢＯＸの下方に設けられたアウト払出口（アウト球排出口）から遊技島に配設されるアウトＢＯＸへ向けてアウト玉（アウト球）を排出する遊技機が提案されている（特許文献１）。
【先行技術文献】
【特許文献】
【０００３】
【特許文献１】特開２０１０−２２７３４０号公報
【発明の概要】
【発明が解決しようとする課題】
【０００４】
ところで、遊技機において遊技者が遊技を行っている最中に、遊技機の背面や遊技島を確認する必要性が生じることがある。この際、遊技者が発射ハンドルを操作したままの状態で遊技機が開放されると、アウト球排出口から排出されるアウト球が床へ落下し、落下したアウト球が散乱してしまうおそれがある。
【０００５】
本発明は、上述のような事情に基づいてなされたものであり、遊技中に開放される場合であっても、アウト球の散乱の防止を図ることができる遊技機を提供することを目的とする。
【課題を解決するための手段】
【０００６】
上記課題を解決するためになされた本発明の一態様に係る遊技機は、本体枠と、前記本体枠の正面側に配設され、前記本体枠の側辺において回動可能に軸支される中枠と、前記中枠の背面側に設けられ、背面側へアウト球を排出可能なアウト球排出口と、前記中枠が前記本体枠に対して開放状態である場合に、前記アウト球排出口から排出される前記アウト球をこぼれないように保持可能なアウト球受け部とを備える。
【０００７】
当該遊技機においては、前記アウト球受け部が、前記アウト球を受け入れ可能な収容構造を有するとよい。
【０００８】
当該遊技機は、前記アウト球受け部を退避位置及び受入位置間で移動させる移動機構
を更に備え、前記アウト球受け部が前記退避位置にある場合に、前記アウト球排出口から背面側へ向けて前記アウト球を排出し、前記アウト球受け部が前記受入位置にある場合に、前記アウト球排出口から前記アウト球受け部へ向けて前記アウト球を排出するとよい。
【０００９】
当該遊技機においては、前記中枠が前記本体枠に対して閉鎖状態である場合に、前記アウト球受け部が前記退避位置に位置し、前記中枠が前記本体枠に対して開放状態である場合に、前記アウト球受け部が前記受入位置に位置するとよい。
【００１０】
当該遊技機においては、前記移動機構が、前記アウト球排出口の下方において前記アウト球受け部を前記受入位置又は前記退避位置へ移動させるとよい。
【００１１】
当該遊技機においては、前記移動機構が、前記本体枠に対する前記中枠の開放動作に連動して前記アウト球受け部を前記受入位置へ移動させるとよい。
【００１２】
当該遊技機においては、前記移動機構が、前記本体枠に対する前記中枠の閉鎖動作に連動して前記アウト球受け部を前記退避位置へ移動させるとよい。
【発明の効果】
【００１３】
本発明の一態様に係る遊技機は、遊技中に開放される場合であってもアウト球の散乱の防止を図ることができる。
【図面の簡単な説明】
【００１４】
【図１】本発明の第一実施形態に係る遊技機及びその周辺を示す模式的正面図である。
【図２】図１の遊技機における遊技盤の盤面構成を示す模式的正面図である。
【図３】図１の遊技機の電気的構成を示すブロック図である。
【図４】図１の遊技機の開放状態を示す模式的斜視図である。
【図５】図１の遊技機の閉鎖状態におけるアウト球受け部の周辺を示す模式的断面図である。
【図６】図１の遊技機の開放状態におけるアウト球受け部の周辺を示す模式的断面図である。
【図７】本発明の第二実施形態に係る遊技機の開放状態におけるアウト球受け部の周辺を示す模式的斜視図である。
【図８】図７の遊技機の閉鎖状態におけるアウト球受け部の周辺を示す模式的断面図である。
【図９】図７の遊技機の開放状態におけるアウト球受け部の周辺を示す模式的断面図である。
【図１０】本発明の第三実施形態に係る遊技機の閉鎖状態におけるアウト球受け部の周辺を示す模式的断面図である。
【図１１】図１０の遊技機の開放状態におけるアウト球受け部の周辺を示す模式的断面図である。
【発明を実施するための形態】
【００１５】
以下、本発明の実施形態に係る遊技機について図を参照しつつ詳説する。
【００１６】
［第一実施形態］
＜遊技機及びその周辺の構成＞
遊技機１は、図１に示すように、前面枠２及び本体枠３を備えている。また、後述する図４に示すように、遊技機１は、本体枠３の正面側に配設され、本体枠３の側辺において回動可能に軸支される中枠３０を備えており、前面枠２は、この中枠３０の正面側に配設され、中枠３０における本体枠３に軸支される側の側辺で回動可能に軸支されている。前面枠２及び中枠３０は、正面視で略長方形に形成されており、前面枠２は、中央上部に透明な窓部２ａを有している。遊技機１は、中枠３０の正面側に後述する遊技盤１０を備えており、前面枠２の窓部２ａを通して遊技盤１０が視認可能となっている。なお、以下では、遊技機１の正面に向かって左側（図面における左側）を単に左側とし、その逆側を右側としている。
【００１７】
前面枠２の中央頂部には、発光により演出を行うためのランプ４が設けられており、このランプ４の左右には、音響により演出を行うための一対の上部スピーカー５ａが設けられている。また、前面枠２の下方に位置する本体枠３の一部には、音響により演出を行うための左右一対の下部スピーカー５ｂが設けられている。
【００１８】
前面枠２の窓部２ａの下方には、貸し出される遊技球や払い出される遊技球を貯留するための上皿６が設けられており、この上皿６の下方には、上皿６が一杯になった際の余分な遊技球を貯留するための下皿７が設けられている。
【００１９】
前面枠２の右下部には、遊技球を遊技盤１０内に発射するための発射ハンドル８が設けられている。遊技機１では、遊技者が前面枠２の窓部２ａを通して遊技盤１０を目視しつつ発射ハンドル８を操作することによって遊技が進行する。また、上皿６の中央正面側の縁部には、演出を実行するための演出操作部９（演出ボタン）が設けられており、遊技機１は、遊技者が遊技中の所定の演出タイミングにおいて演出操作部９を操作すると、所定の演出が実行されるように構成されている。
【００２０】
遊技機１は、遊技島５００に設置されている。遊技島５００には、遊技機１及び台間機６００が交互に配設されており、各遊技機１の本体枠３は、遊技島５００に固定されている。遊技島５００の内部の構成及び遊技機１の背面の構成については後述する。
【００２１】
＜遊技盤の構成＞
遊技盤１０は、図２に示すように、正面側に遊技領域１０ａとセグメント表示領域１０ｂとを有しており、これらの領域は、前面枠２の窓部２ａを通して視認可能に形成されている。遊技領域１０ａは、遊技盤１０の中央の広い範囲に形成される一方、セグメント表示領域１０ｂは、遊技盤１０の右下部の狭い範囲に形成されている。
【００２２】
遊技盤１０は、遊技領域１０ａの略中央に液晶表示装置１１を備えている。液晶表示装置１１は、表示画面内に様々な演出画像及び演出映像を表示可能であり、遊技の進行に応じて様々な演出表示を行うように構成されている。また、遊技領域１０ａにおける液晶表示装置１１の周囲は、遊技球の流下領域となっており、遊技球は、この領域に配設される釘等によって移動方向を変化させながら流下する。
【００２３】
遊技領域１０ａの中央下部には、遊技領域１０ａを流下する遊技球を受入可能な第１始動口１２が設けられており、この第１始動口１２の内部には、第１始動口１２への遊技球の入球（入賞）を検出可能な第１始動口センサー１２ａが設けられている。遊技機１は、第１始動口１２への入球を検出すると、所定数の遊技球を上皿６へ払い出すとともに、第１特図に関する当否判定情報を取得するように構成されている。
【００２４】
第１始動口１２の下方には、第２始動口１３が設けられており、この第２始動口１３の内部には、第２始動口１３への入球（入賞）を検出可能な第２始動口センサー１３ａが設けられている。遊技機１は、第２始動口１３への入球を検出すると、所定数の遊技球を上皿６へ払い出すとともに、第２特図に関する当否判定情報を取得するように構成されている。
【００２５】
遊技盤１０は、遊技領域１０ａの左側を流下する遊技球を第１始動口１２へ導きやすく、遊技領域１０ａの右側を流下する遊技球を第２始動口１３へ導きやすいように構成されている。
【００２６】
遊技領域１０ａの中央右部には、遊技領域１０ａを流下する遊技球が通過可能な作動ゲート１４が設けられており、この作動ゲート１４の内部には、作動ゲート１４を通過する遊技球を検出可能なゲートセンサー１４ａが設けられている。遊技機１は、作動ゲート１４において遊技球の通過を検出すると、普通図柄抽選を行うように構成されている。
【００２７】
第１始動口１２は、遊技球を常に受入可能に構成されている。一方、第２始動口１３は、図示しない開閉部材を備えており、この開閉部材を動作させる始動口ソレノイド１３ｂによって、遊技球を受入困難な閉止状態又は遊技球を受入可能な開放状態のいずれか一方に制御される。通常、第２始動口１３は、閉止状態に制御されているが、遊技機１は、作動ゲート１４において遊技球の通過を検出すると、普通図柄抽選によって第２始動口１３を開放状態に制御するか否かを決定する。
【００２８】
遊技領域１０ａの右下部には、開閉扉を有する大入賞口１５が設けられている。通常時には、大入賞口１５は、開閉扉を動作させる大入賞口ソレノイド１５ｂにより閉止状態に制御されているが、当否判定情報を用いた当否判定の判定結果に基づいて開放状態に制御される。また、大入賞口１５の内部には大入賞口１５への入球（入賞）を検出可能な大入賞口センサー１５ａが設けられている。遊技機１は、大入賞口１５への入球を検出すると、所定数の遊技球を上皿６へ払い出すように構成されている。
【００２９】
遊技領域１０ａの下端部には、遊技領域１０ａを流下した遊技球を遊技機１内へ回収するための左右一対のアウト口１６が設けられている。また、遊技領域１０ａの左下部には、３つの一般入賞口１７が設けられ、遊技領域１０ａの右下部には、１つの一般入賞口１７が設けられている。また、遊技領域１０ａの左部には、発射装置８ａにより下側から上側へ向けて発射される遊技球をガイドするための発射レール１８が設けられている。また、液晶表示装置１１の上方には、遊技機１を彩る装飾部材１９が設けられている。
【００３０】
遊技盤１０は、セグメント表示領域１０ｂに遊技に関する情報を表示するためのセグメント表示部２０を備えている。セグメント表示部２０は複数のＬＥＤを有しており、遊技機１は、これらのＬＥＤによる表示の組み合わせによって、第１特図に関する図柄変動表示、第２特図に関する図柄変動表示、第１特図に関する保留数表示、第２特図に関する保留数表示、大当り遊技時における大当り遊技で実行可能なラウンド数の表示、普通図柄に関する図柄変動表示、普通図柄に関する保留数表示、第２始動口１３が開放状態に制御されやすい電サポ状態であるか否かを示す電サポ表示、及び遊技領域１０ａの右側への遊技球の発射を促すタイミングであることを示す右打ち表示を行うことができる。
【００３１】
＜電気的構成＞
遊技機１は、図３に示すように、遊技の制御を行う主制御基板１００と、主制御基板１００から送信される各種コマンドに基づいて演出制御を行う演出制御基板２００と、遊技球の払い出し制御を行う払出制御基板３００とを備えている。これらの基板は、ＣＰＵと記憶部とを備えており、これらのハードウェア資源を用いて所定の機能を実現する。
【００３２】
主制御基板１００には、演出制御基板２００及び払出制御基板３００に加えて、第１始動口センサー１２ａ、第２始動口センサー１３ａ、大入賞口センサー１５ａ、ゲートセンサー１４ａ、始動口ソレノイド１３ｂ、大入賞口ソレノイド１５ｂ及びセグメント表示部２０等が接続されている。第１始動口センサー１２ａ、第２始動口センサー１３ａ、大入賞口センサー１５ａ、ゲートセンサー１４ａにより遊技球が検出されると、検出信号が主制御基板１００へ送信される。主制御基板１００は、いずれかのセンサーから検出信号を受信すると、遊技の進行に応じた演算によりコマンド又は駆動信号を生成し、演出制御基板２００、払出制御基板３００、始動口ソレノイド１３ｂ、大入賞口ソレノイド１５ｂ及びセグメント表示部２０等へ生成したコマンド又は駆動信号を送信する。
【００３３】
演出制御基板２００には、液晶表示装置１１、ランプ４、スピーカー５（上部スピーカー５ａ、下部スピーカー５ｂ）、演出操作部９等が接続されている。演出制御基板２００は、主制御基板１００から送信される各種コマンドを受信すると、各種コマンドの内容を解析し、液晶表示装置１１、ランプ４、上部スピーカー５ａ、下部スピーカー５ｂ、演出操作部９等を用いてコマンドの内容に応じた演出制御を行う。
【００３４】
払出制御基板３００には、遊技球を発射するための発射装置８ａ、発射ハンドル８、遊技機１に併設される台間機６００、玉貸ボタン、払出装置等が接続されている。また、発射装置８ａには、遊技球を発射する発射モーターや遊技者が発射ハンドル８に触れていることを検知するタッチスイッチが接続されている。払出制御基板３００は、主制御基板１００から送信される払出コマンドに基づく遊技球の払い出し制御や、発射ハンドル８の操作に基づく発射装置８ａへの遊技球の発射信号の送信処理等を実行する。
【００３５】
＜遊技島の内部の構成＞
図４に示すように、遊技島５００には、遊技機１の本体枠３と台間機６００とが固定されている。また、遊技島５００は、遊技機１の下部から排出されるアウト球を流し込むためのアウトボックス５０１と、遊技機１の上部に向けて遊技球を補給するための補給装置５０２とを備えている。アウトボックス５０１は、受け入れたアウト球を計数するアウト球計数機を内部に備えており、アウト球計数機で計数した後のアウト球を遊技島５００の回収路へ放出するように構成されている。また、補給装置５０２は、遊技機１へ補給する遊技球を計数する補給球計数機を内部に備えており、補給球計数機で計数した後の遊技球を遊技機１へ補給するように構成されている。
【００３６】
＜遊技機の背面の構成＞
遊技機１の中枠３０の背面には、図示しない裏セットが取り付けられており、この裏セットには、主制御基板１００、演出制御基板２００、払出制御基板３００等の各種基板や発射装置８ａ等が装着されている。また、裏セットは、遊技盤１０の第１始動口１２、第２始動口１３、大入賞口１５、アウト口１６及び一般入賞口１７へ入球した遊技球をアウト球として遊技機１外へ導く排出経路を備えている。
【００３７】
遊技機１は、図４に示すように、中枠３０の背面に対して裏セットを覆うように装着される保護カバー３１と、裏セットの上部に配設され、保護カバー３１の上方へ一部が延出する補給タンク３２と、保護カバー３１の下部に設けられ、裏セットの排出経路を流下するアウト球を排出するアウト球排出口３３とを備えている。
【００３８】
保護カバー３１は、裏セットに装着されている基板等を保護するためのカバーであり、例えば透明な樹脂等により形成される。補給タンク３２は、上皿６、下皿７及び発射装置８ａ等に補給する遊技球を保持するタンクであり、補給装置５０２から適切な数の遊技球が補給される。また、補給タンク３２は、払出制御基板３００の制御に応じて上皿６、下皿７及び発射装置８ａへ適切な数の遊技球を供給するように構成されている。アウト球排出口３３は、中枠３０の遊技島５００側に設けられることにより、遊技島５００に配設されるアウトボックス５０１へ向けてアウト球を排出可能に構成されている。
【００３９】
遊技機１は、中枠３０が本体枠３に対して閉鎖状態である場合に、アウト球排出口３３からアウトボックス５０１の開口５０１ａへ向けてアウト球を排出する。すなわち、アウト球排出口３３は、遊技機１が閉鎖状態である場合に、アウトボックス５０１へ向けてアウト球を排出するように配設されている。しかしながら、遊技中に遊技機１の背面や遊技島５００を確認する必要性が生じた場合に、遊技者が発射ハンドル８を操作したままの状態で遊技機１が開放されると、アウト球排出口３３から排出されるアウト球が床へ落下し、落下したアウト球が散乱してしまうおそれがある。
【００４０】
そこで、遊技機１は、遊技中に開放される場合であってもアウト球の散乱を防止するために、アウト球排出口３３から排出されるアウト球を受け入れ可能なアウト球受け部４０と、アウト球受け部４０を退避位置及び受入位置間で移動させる移動機構４１とを更に備えている。
【００４１】
（アウト球受け部）
アウト球受け部４０は、図４から図６に示すように、中枠３０の背面かつアウト球排出口３３の下方において移動機構４１により支持されている。アウト球受け部４０は、アウト球を保持可能な容器であり、上部にアウト球を受け入れ可能なアウト球受け口４０ａを有している。また、移動機構４１は、アウト球排出口３３の下方においてアウト球受け部４０を受入位置又は退避位置へ移動させる機構であり、アウト球受け部４０を中枠３０の背面に対して接近又は離間させる方向（水平方向）にガイドし、かつアウト球受け部４０の移動範囲を規制するガイド部４１ａと、アウト球受け部４０を中枠３０の背面に対して離間させる方向に弾性力を付加する圧縮コイルばね部４１ｂとを有している。ガイド部４１ａは、中枠３０の背面とアウト球受け部４０との間かつアウト球受け部４０の左右の位置に一対で設けられており、圧縮コイルばね部４１ｂは、中枠３０の背面とアウト球受け部４０との間かつアウト球受け部４０の中央の上下方向に３つ設けられている。また、ガイド部４１ａは、一端が中枠３０の背面に固定されており、他端がアウト球受け部４０との間でスライド移動可能に構成されかつアウト球受け部４０のスライド移動範囲を規制するように構成されている。なお、ガイド部４１ａは、一端が中枠３０の背面に接続され、他端がアウト球受け部４０に接続され、全体として水平面内でのみ屈曲可能なリンク機構であってもよい。
【００４２】
遊技機１は、中枠３０が本体枠３に対して閉鎖状態である場合に、アウト球受け部４０が退避位置に位置し、中枠３０が本体枠３に対して開放状態である場合に、アウト球受け部４０が受入位置に位置するように構成されている。また、遊技機１は、アウト球受け部４０が退避位置にある場合に、アウト球排出口３３からアウトボックス５０１へ向けてアウト球を排出し、アウト球受け部４０が受入位置にある場合に、アウト球排出口３３からアウト球受け部４０へ向けてアウト球を排出するように構成されている。
【００４３】
図５に示すように、アウト球受け部４０は、中枠３０が本体枠３に対して閉鎖状態である場合に、中枠３０の背面に接近するようにアウトボックス５０１によって押圧される。すなわち、アウト球受け部４０は、アウト球排出口３３から排出されるアウト球を受け入れない退避位置に位置している。遊技機１が閉鎖状態である場合には、アウト球排出口３３は、アウトボックス５０１へ向けてアウト球を排出するように配設されているので、アウト球排出口３３から排出されるアウト球は、アウトボックス５０１に受け入れられる。
【００４４】
一方、中枠３０が本体枠３に対して開放される場合には、図６に示すように、移動機構４１は、本体枠３に対する中枠３０の開放動作に連動してアウト球受け部４０を受入位置へ移動させる。すなわち、アウト球受け部４０は、アウトボックス５０１による押圧から解放されることで、アウト球排出口３３から排出されるアウト球を受け入れ可能な受入位置へ移動するとともに、ガイド部４１ａによる移動範囲の規制によって受入位置で保持される。これにより、遊技機１が開放状態である場合には、アウト球排出口３３から排出されるアウト球は、アウト球受け部４０に受け入れられる。
【００４５】
中枠３０が本体枠３に対して再び閉鎖される場合には、図５に示すように、移動機構４１は、本体枠３に対する中枠３０の閉鎖動作に連動してアウト球受け部４０を退避位置へ移動させる。すなわち、アウト球受け部４０は、アウトボックス５０１により押圧されることで、アウト球排出口３３から排出されるアウト球を受け入れない退避位置へ移動するとともに、ガイド部４１ａによる移動範囲の規制によって退避位置で保持される。これにより、遊技機１が閉鎖される場合には、アウト球排出口３３から排出されるアウト球は、再びアウトボックス５０１に受け入れられるようになる。
【００４６】
以上のように、遊技機１は、アウト球排出口３３から排出されるアウト球を受け入れ可能なアウト球受け部４０と、アウト球受け部４０を退避位置及び受入位置間で移動させる移動機構４１とを備え、アウト球受け部４０が退避位置にある場合に、アウト球排出口３３からアウトボックス５０１へ向けてアウト球を排出し、アウト球受け部４０が受入位置にある場合に、アウト球排出口３３からアウト球受け部４０へ向けてアウト球を排出するので、遊技中に開放される場合であっても、アウト球受け部４０を退避位置から受入位置へ移動させることにより、アウト球排出口３３から排出されるアウト球をアウト球受け部４０に受け入れことができる。このため、遊技機１は、遊技中に開放される場合であっても、アウト球の散乱の防止を図ることができる。
【００４７】
また、遊技機１は、本体枠３に対する中枠３０の開放動作に連動してアウト球受け部４０を受入位置へ移動させる移動機構４１を備えているので、特別な操作を必要とすることなく自動的にアウト球の散乱を防止できる。また、移動機構４１は、本体枠３に対する中枠３０の閉鎖動作に連動してアウト球受け部４０を退避位置へ移動させるので、遊技機１は、特別な操作を必要とすることなくアウト球排出口３３からアウトボックス５０１へアウト球を排出する状態に復帰できる。
【００４８】
また、移動機構４１がアウト球排出口３３の下方においてアウト球受け部４０を受入位置又は退避位置へ移動させるので、遊技機１は、自重により落下するアウト球の落下位置に基づいて受入位置及び退避位置を簡単に設定できる。
【００４９】
［第二実施形態］
第二実施形態の遊技機は、中枠の背面の構成以外については第一実施形態の遊技機１と同じである。以下、第一実施形態の遊技機１とは異なる中枠の背面の構成について説明する。
【００５０】
＜中枠の背面の構成＞
第二実施形態の遊技機は、図７から図９に示すように、中枠５０の背面に対して裏セットを覆うように装着される保護カバー５１と、保護カバー５１の下部に設けられ、裏セットの排出経路を流下するアウト球を排出するアウト球排出口５３とを備えている。ただし、アウト球排出口５３は、下方を向くように設けられている。
【００５１】
また、アウト球排出口５３の下方には、アウト球排出口５３から排出されるアウト球を受け入れ可能なアウト球受け部６０と、アウト球受け部６０を退避位置及び受入位置間で移動させる移動機構６１とが設けられている。
【００５２】
（アウト球受け部）
アウト球受け部６０は、図７から図９に示すように、中枠５０の背面かつアウト球排出口５３の下方において移動機構６１により支持されている。アウト球受け部６０は、アウト球を保持可能な略矩形の板状部材であり、中枠５０の背面から離れる方向へ膨らむようにわずかに湾曲している。また、移動機構６１は、アウト球排出口５３の下方においてアウト球受け部６０を受入位置又は退避位置へ移動させる機構であり、アウト球受け部６０の鉛直方向に延びる左右の側辺のそれぞれと中枠５０の背面との間を接続する一対の蛇腹部６１ａと、アウト球受け部６０の下辺と中枠５０の背面とを接続するように配設されるねじりコイルばね部６１ｂとを有している。移動機構６１は、アウト球受け部６０の下辺を軸として、アウト球受け部６０の上辺を中枠５０の背面に対して接近又は離間させるようにアウト球受け部６０を回動させる。
【００５３】
一対の蛇腹部６１ａは、中枠５０の背面に対するアウト球受け部６０の移動に応じて伸縮自在であり、かつアウト球受け部６０の上辺が中枠５０の背面に対して離間し過ぎないように、アウト球受け部６０の移動範囲を規制するように構成されている。蛇腹部６１ａは、展開状態において扇型に形成されており、２つの半径部分が中枠５０の背面及びアウト球受け部６０の側辺のそれぞれと接合されている。また、ねじりコイルばね部６１ｂは、アウト球受け部６０の上辺を中枠５０の背面に対して離間させる方向に弾性力を付加している。そして、中枠５０の背面、アウト球受け部６０及び一対の蛇腹部６１ａは、全体として上部にアウト球を受け入れ可能なアウト球受け口６０ａを有する袋体を形成している。なお、蛇腹部６１ａは、１以上の折り返し構造を有するものであればよく、例えばアウト球受け口６０ａの外側方向に山折りとなっている折り返し構造を１つだけ有するものであってもよい。
【００５４】
図８に示すように、アウト球受け部６０は、中枠５０が本体枠３に対して閉鎖状態である場合に、中枠５０の背面に接近するようにアウトボックス５０１によって押圧される。すなわち、アウト球受け部６０は、アウト球排出口５３から排出されるアウト球を受け入れない退避位置に位置している。この場合には、アウト球排出口５３は、アウトボックス５０１へ向けてアウト球を排出するように配設されているので、アウト球排出口５３から排出されるアウト球は、アウトボックス５０１に受け入れられる。
【００５５】
一方、中枠５０が本体枠３に対して開放される場合には、図９に示すように、移動機構６１は、本体枠３に対する中枠５０の開放動作に連動してアウト球受け部６０を受入位置へ移動させる。すなわち、アウト球受け部６０は、アウトボックス５０１による押圧から解放されることで、アウト球排出口５３から排出されるアウト球を受け入れ可能な受入位置へ移動するとともに、蛇腹部６１ａによるアウト球受け部６０の移動範囲の規制によって受入位置で保持される。これにより、中枠５０が本体枠３に対して開放状態である場合には、アウト球排出口５３から排出されるアウト球は、アウト球受け部６０に受け入れられる。
【００５６】
中枠５０が本体枠３に対して再び閉鎖される場合には、図８に示すように、移動機構６１は、本体枠３に対する中枠５０の閉鎖動作に連動してアウト球受け部６０を退避位置へ移動させる。すなわち、アウト球受け部６０は、アウトボックス５０１により押圧されることで、アウト球排出口５３から排出されるアウト球を受け入れない退避位置へ移動するとともに退避位置で保持される。これにより、中枠５０が本体枠３に対して閉鎖される場合には、アウト球排出口５３から排出されるアウト球は、再びアウトボックス５０１に受け入れられるようになる。
【００５７】
以上のように、第二実施形態の遊技機の構成であっても、第一実施形態の遊技機１と同様の利点が得られる。また、第二実施形態の遊技機は、アウト球受け部６０を退避位置へ移動させる際に蛇腹部６１ａを収縮させるので、アウト球受け部６０を退避させる空間を小さく設定することができる。
【００５８】
［第三実施形態］
第三実施形態の遊技機は、中枠の背面の構成以外については第一実施形態の遊技機１と同じである。ただし、アウト球排出口とアウトボックスとの間において上下に広い空間が設けられている。以下、第一実施形態の遊技機１とは異なる中枠の背面の構成について説明する。
【００５９】
＜中枠の背面の構成＞
第三実施形態の遊技機は、図１０から図１１に示すように、中枠７０の背面に対して裏セットを覆うように装着される保護カバー７１と、保護カバー７１の下部に設けられ、裏セットの排出経路を流下するアウト球を排出するアウト球排出口７３とを備えている。ただし、アウト球排出口７３は、第一実施形態の遊技機と同様に、背面方向を向くように設けられている。
【００６０】
また、アウト球排出口７３の下方には、アウト球排出口７３から排出されるアウト球を保持可能な底板８０と、底板８０を退避位置及び受入位置間で移動させる移動機構８１と、底板８０の上面側に位置し、底板８０とともにアウト球をこぼれないように保持する筒状部８２とが設けられている。
【００６１】
（アウト球受け部）
第三実施形態の遊技機では、底板８０及び筒状部８２が、全体としてアウト球受け部の機能を果たす。底板８０は、図１０から図１１に示すように、中枠７０の背面かつアウト球排出口７３の下方において移動機構８１により支持されている。底板８０は、アウト球を保持可能な上面と、移動機構８１により支持される第１側面と、アウトボックス５０１により押圧される第２側面とを少なくとも有する可動部材である。移動機構８１は、アウト球排出口７３の下方において底板８０を受入位置又は退避位置へ移動させる機構であり、底板８０を中枠７０の背面に対して接近又は離間させる方向（水平方向）にガイドし、かつ底板８０の移動範囲を規制するガイド部（図示せず）と、底板８０を中枠７０の背面に対して離間させる方向に弾性力を付加する圧縮コイルばね部８１ｂとを有している。ガイド部は、中枠７０の背面と底板８０との間かつ底板８０の左右（図１０の奥行方向）の位置に一対で設けられており、圧縮コイルばね部８１ｂは、中枠７０の背面と底板８０との間かつ底板８０の中央の上下方向に２つ設けられている。また、ガイド部は、一端が中枠７０の背面に固定されており、他端が底板８０との間でスライド移動可能に構成されかつ底板８０のスライド移動範囲を規制するように構成されている。なお、ガイド部が、水平面内でのみ屈曲可能なリンク機構であってもよい点は第一実施形態の遊技機と同様である。
【００６２】
底板８０の上面側には、上下に開口を有するように筒状に形成される筒状部８２が設けられている。筒状部８２は、図示しない支持部材によって中枠７０の背面に対して固定されており、上部にアウト球排出口７３から排出されるアウト球を受け入れ可能な上部開口８２ａと、下部にアウトボックス５０１へ向けてアウト球を放出可能な下部開口８２ａとを有している。
【００６３】
遊技機１は、中枠７０が本体枠３に対して閉鎖状態である場合に、底板８０が退避位置に位置し、中枠７０が本体枠３に対して開放状態である場合に、底板８０が受入位置に位置するように構成されている。また、遊技機１は、アウト球排出口７３から筒状部８２の上部開口８２ａへ向けてアウト球を排出するように構成されている。遊技機１は、底板８０が退避位置にある場合に、アウト球排出口７３から筒状部８２の上部開口８２ａへ排出されるアウト球を筒状部８２の下部開口８２ａからアウトボックス５０１へ向けてアウト球を放出し、底板８０が受入位置にある場合に、アウト球排出口７３から筒状部８２の上部開口８２ａへ排出されるアウト球を筒状部８２内に保持するように構成されている。つまり、底板８０は、筒状部８２の下部開口８２ａを開閉可能であり、受入位置において筒状部８２とともにアウト球をこぼれないように保持する構成となっている。
【００６４】
図１０に示すように、底板８０は、中枠７０が本体枠３に対して閉鎖状態である場合に、中枠７０の背面に接近するようにアウトボックス５０１によって押圧される。すなわち、底板８０は、アウト球排出口７３から排出されるアウト球を保持しない退避位置に位置している。遊技機１が閉鎖状態である場合には、アウト球排出口７３は、筒状部８２へ向けてアウト球を排出するように配設されているので、アウト球排出口３３から排出されるアウト球は、筒状部８２を介してアウトボックス５０１に受け入れられる。
【００６５】
一方、中枠７０が本体枠３に対して開放される場合には、図１１に示すように、移動機構８１は、本体枠３に対する中枠７０の開放動作に連動して底板８０を受入位置へ移動させる。すなわち、底板８０は、アウトボックス５０１による押圧から解放されることで、アウト球排出口７３から排出されるアウト球を保持可能な受入位置へ移動するとともに、ガイド部による移動範囲の規制によって受入位置で保持される。これにより、遊技機１が開放状態である場合には、アウト球排出口７３から排出されるアウト球は、底板８０によって筒状部８２内で保持される。
【００６６】
中枠７０が本体枠３に対して再び閉鎖される場合には、図１０に示すように、移動機構８１は、本体枠３に対する中枠７０の閉鎖動作に連動して底板８０を退避位置へ移動させる。すなわち、底板８０は、アウトボックス５０１により押圧されることで、アウト球排出口７３から排出されるアウト球を保持しない退避位置へ移動するとともに、ガイド部による移動範囲の規制によって退避位置で保持される。これにより、遊技機１が閉鎖される場合には、アウト球排出口７３から排出されるアウト球は、再びアウトボックス５０１に受け入れられるようになる。
【００６７】
以上のように、第三実施形態の遊技機の構成であっても、第一実施形態の遊技機１と同様の利点が得られる。また、第三実施形態の遊技機は、底板８０を退避位置へ移動させる際に、筒状部８２内で保持されているアウト球を自動的にアウトボックス５０１へ向けて放出できるので、ホールの従業者がアウト球受け部に保持されているアウト球をアウトボックス５０１へ戻す手間を無くすことができる。
【００６８】
［その他の実施形態］
本発明は、上記実施形態に限定されない。
【００６９】
上記実施形態では、アウト球受け部が、アウトボックスの押圧によって退避位置に保持されるものについて説明したが、アウト球受け部はアウトボックスによって押圧されるものに限定されない。例えば、アウト球受け部が遊技島側に配設される他の部材からの押圧によって退避位置に保持されるものであってもよい。
【００７０】
また、アウト球受け部が遊技島側に配設される部材によって押圧されるものでなくてもよく、例えば、アウト球受け部が中枠側に配設される部材によって退避位置に保持されるものであってもよい。この場合も、移動機構は、本体枠に対する中枠の開放動作又は閉鎖動作に連動してアウト球受け部を移動させるものであればよい。例えば、移動機構が、本体枠に対する中枠の開放動作又は閉鎖動作を検出する検出部と、検出部の検出結果に基づいてアウト球受け部を移動させる駆動部とを有する電気的な移動機構であってもよいし、本体枠に対する中枠の開放動作又は閉鎖動作を利用してアウト球受け部を移動させるリンク機構を有する機械的な移動機構であってもよい。
【００７１】
また、移動機構が、本体枠に対する中枠の開放動作に連動してアウト球受け部を受入位置へ移動させ、本体枠に対する中枠の閉鎖動作に連動してアウト球受け部を退避位置へ移動させるものについて説明したが、アウト球受け部を受入位置に位置させることによりアウト球の散乱の防止を図ることができれば、移動機構は、本体枠に対する中枠の開放動作又は閉鎖動作に連動してアウト球受け部を移動させるものに限定されない。例えば、移動機構を作動させるための特別なスイッチを遊技機に設けておき、遊技機を開放する前又は開放中に、このスイッチに対する操作を受け付けることで、移動機構によりアウト球受け部を移動させてもよい。また、スイッチとしては、例えば、移動機構がアウト球受け部を退避位置から受入位置へ移動させる付勢力を規制するロックを解除するスイッチが採用されてもよい。
【００７２】
また、移動機構は、アウト球受け部を受入位置に位置させることによりアウト球の散乱の防止を図ることができれば、本体枠に対する中枠の閉鎖動作に連動してアウト球受け部を退避位置へ移動させる機能を備えていなくてもよい。例えば、移動機構が、本体枠に対する中枠の開放動作に連動してアウト球受け部を受入位置へ移動させる機能のみを備えていてもよい。ただし、遊技機を閉鎖する際に、アウト球受け部を手動で退避位置へ移動させる必要性が生じるので、移動機構が、本体枠に対する中枠の閉鎖動作に連動してアウト球受け部を退避位置へ移動させる機能を備えている方が好ましい。
【００７３】
上記実施形態では、アウト球受け部が、容器又は板状部材であるものについて説明したが、アウト球受け部は、アウト球をこぼれないように保持可能な構造であればこれらに限定されない。アウト球受け部は、アウト球を受け入れない構造であってもよく、例えば、アウト球排出口を塞ぐものであってもよい。ただし、アウト球の詰まりを防止する観点から、アウト球受け部は、アウト球を受け入れ可能な収容構造を有していると好ましく、例えば、網状の袋体、細長いチューブ等であってもよい。
【００７４】
また、アウト球受け部は、保持しているアウト球を放出可能な放出機構を有していてもよい。例えば、アウト球受け部の底部に開閉操作可能な放出弁が設けられるとよい。アウト球受け部が放出機構を有している場合には、アウト球受け部から容易にアウト球を放出させることが可能となる。また、アウト球を受け入れている途中のアウト球受け部が一杯になりそうな場合に、ホールの従業者は、アウト球受け部から従業者の保持するドル箱等へアウト球を放出させることができる。なお、ホールの従業者は、遊技機を閉鎖する前に、ドル箱等へ放出されたアウト球をアウトボックスへ投入できる。
【００７５】
上記第三実施形態では、底板８０が、水平移動することにより筒状部８２の下部開口８２ａを開閉するものについて説明したが、底板８０は水平移動するものに限定されない。例えば、底板の中枠側の端部が、筒状部の下部開口の中枠側において筒状部に軸支され、底板の中枠側とは逆側の端部が、ねじりコイルばね部により筒状部の下部開口へ近接する方向に弾性力を付加される構成であってもよい。そして、底板の中枠側とは逆側の端部が、アウトボックス５０１からの押圧により筒状部の下部開口から離間する方向に回動する構成であってもよい。
【００７６】
上記実施形態では、アウト球受け部が移動機構により中枠の背面に直接支持されているものについて説明したが、アウト球受け部及び移動機構は、このような構成に限定されない。例えば、アウト球排出口から排出されるアウト球を受け入れ可能なアウト球受け部と、アウト球受け部を退避位置及び受入位置間で移動させる移動機構と、移動機構を支持するベース板とを備えるアウト球受け部ユニットの構成が採用されてもよく、この場合、遊技機は、アウト球受け部ユニットのベース板を中枠の背面にボルト等により着脱自在に固定する構成であってもよい。
【００７７】
上記実施形態によりサポートされる遊技機について、以下に付記する。
【００７８】
［付記１］
本体枠と、前記本体枠の正面側に配設され、前記本体枠の側辺において回動可能に軸支される中枠と、前記中枠の背面側に設けられ、背面側へアウト球を排出可能なアウト球排出口と、前記中枠が前記本体枠に対して開放状態である場合に、前記アウト球排出口から排出される前記アウト球をこぼれないように保持可能なアウト球受け部とを備える遊技機。
【００７９】
付記１の遊技機は、アウト球排出口から排出されるアウト球をこぼれないように保持可能なアウト球受け部を備えているので、遊技中に開放される場合であってもアウト球の散乱の防止を図ることができる。
【００８０】
［付記２］
前記アウト球受け部が、前記アウト球を受け入れ可能な収容構造を有する付記１に記載の遊技機。
【００８１】
付記２の遊技機は、アウト球受け部が、アウト球を受け入れ可能な収容構造を有するので、アウト球受け部にアウト球を収容することによりアウト球の散乱の防止を図ることができる。
【００８２】
［付記３］
前記アウト球受け部を退避位置及び受入位置間で移動させる移動機構を更に備え、前記アウト球受け部が前記退避位置にある場合に、前記アウト球排出口から背面側へ向けて前記アウト球を排出し、前記アウト球受け部が前記受入位置にある場合に、前記アウト球排出口から前記アウト球受け部へ向けて前記アウト球を排出する付記１又は付記２に記載の遊技機。
【００８３】
付記３の遊技機は、アウト球排出口から排出されるアウト球を受け入れ可能なアウト球受け部と、アウト球受け部を退避位置及び受入位置間で移動させる移動機構とを備え、アウト球受け部が退避位置にある場合に、アウト球排出口からアウトボックスへ向けてアウト球を排出し、アウト球受け部が受入位置にある場合に、アウト球排出口からアウト球受け部へ向けてアウト球を排出するので、遊技中に開放される場合であっても、アウト球受け部を退避位置から受入位置へ移動させることにより、アウト球排出口から排出されるアウト球をアウト球受け部に受け入れることができる。このため、付記１の遊技機は、遊技中に開放される場合であっても、アウト球の散乱の防止を図ることができる。
【００８４】
［付記４］
前記中枠が前記本体枠に対して閉鎖状態である場合に、前記アウト球受け部が前記退避位置に位置し、前記中枠が前記本体枠に対して開放状態である場合に、前記アウト球受け部が前記受入位置に位置する付記１、付記２又は付記３に記載の遊技機。
【００８５】
付記４の遊技機は、開放状態となった場合に、アウト球受け部が受入位置に位置するので、遊技中に開放される場合であっても、アウト球の散乱を防止できる。
【００８６】
［付記５］
前記移動機構が、前記アウト球排出口の下方において前記アウト球受け部を前記受入位置又は前記退避位置へ移動させる付記１から付記４のいずれか１項に記載の遊技機。
【００８７】
付記５の遊技機は、移動機構がアウト球排出口の下方においてアウト球受け部を受入位置又は退避位置へ移動させるので、自重により落下するアウト球の落下位置に基づいて受入位置及び退避位置を簡単に設定できる。
【００８８】
［付記６］
前記移動機構が、前記本体枠に対する前記中枠の開放動作に連動して前記アウト球受け部を前記受入位置へ移動させる付記１から付記５のいずれか１項に記載の遊技機。
【００８９】
付記６の遊技機は、本体枠に対する中枠の開放動作に連動してアウト球受け部を受入位置へ移動させる移動機構を備えているので、特別な操作を必要とすることなく自動的にアウト球の散乱を防止できる。
【００９０】
［付記７］
前記移動機構が、前記本体枠に対する前記中枠の閉鎖動作に連動して前記アウト球受け部を前記退避位置へ移動させる付記１から付記６のいずれか１項に記載の遊技機。
【００９１】
付記７の遊技機は、本体枠に対する中枠の閉鎖動作に連動してアウト球受け部を退避位置へ移動させる移動機構を備えているので、特別な操作を必要とすることなくアウト球排出口からアウトボックスへアウト球を排出する状態に復帰できる。
【００９２】
［付記８］
前記中枠が前記本体枠に対して閉鎖状態である場合に、前記アウト球受け部が前記遊技島側に配設される部材からの押圧により前記退避位置に位置する付記１から付記７のいずれか１項に記載の遊技機。
【００９３】
付記８の遊技機は、アウト球受け部が遊技島側に配設される部材で押圧されることによって退避位置に位置するので、アウト球受け部を退避位置へ確実に位置させることができる。
【符号の説明】
【００９４】
１  遊技機
２  前面枠
２ａ  窓部
３  本体枠
４  ランプ
５  スピーカー
５ａ  上部スピーカー
５ｂ  下部スピーカー
６  上皿
７  下皿
８  発射ハンドル
８ａ  発射装置
９  演出操作部
１０  遊技盤
１０ａ  遊技領域
１０ｂ  セグメント表示領域
１１  液晶表示装置
１２  第１始動口
１２ａ  第１始動口センサー
１３  第２始動口
１３ａ  第２始動口センサー
１３ｂ  始動口ソレノイド
１４  作動ゲート
１４ａ  ゲートセンサー
１５  大入賞口
１５ａ  大入賞口センサー
１５ｂ  大入賞口ソレノイド
１６  アウト口
１７  一般入賞口
１８  発射レール
１９  装飾部材
２０  セグメント表示部
３０，５０，７０  中枠
３１，５１，７１  保護カバー
３２  補給タンク
３３，５３，７３  アウト球排出口
４０，６０  アウト球受け部
４０ａ，６０ａ  アウト球受け口
４１，６１，８１  移動機構
４１ａ  ガイド部
４１ｂ，８１ｂ  圧縮コイルばね部
６１ａ  蛇腹部
６１ｂ  ねじりコイルばね部
８０  底板（アウト球受け部）
８２  筒状部
８２ａ  上部開口（アウト球受け口）
８２ｂ  下部開口
１００  主制御基板
２００  演出制御基板
３００  払出制御基板
５００  遊技島
５０１  アウトボックス
５０１ａ  開口
５０２  補給装置
６００  台間機
【図１】
2020000367.tif 000003
【図２】
2020000367.tif 000004
【図３】
2020000367.tif 000005
【図４】
2020000367.tif 000006
【図５】
2020000367.tif 000007
【図６】
2020000367.tif 000008
【図７】
2020000367.tif 000009
【図８】
2020000367.tif 000010
【図９】
2020000367.tif 000011
【図１０】
2020000367.tif 000012
【図１１】
2020000367.tif 000013